(57)【特許請求の範囲】
【請求項１】
略直方体状のフレームを有する建物ユニットを複数組み合わせて建築され、屋根に設置される屋根設置物を備えたユニット式建物であって、
梁と、
前記ユニット式建物の外方へと突出し、かつ前記梁に設けられた突出部と、
前記突出部を前記フレームとともに支持し、かつ前記梁に設けられた控梁と、
前記屋根を形成し、一側から他側にかけて連続して並設された複数の屋根面材と、
前記控梁に設けられるとともに前記屋根面材を支持する中間梁と、を備え、
前記中間梁は、一側から他側へと向かうに連れて高さ位置が高くなって設けられ、かつ前記控梁の長尺方向に沿って両側に設けられて各々が前記屋根面材を支持し、さらに、一側端部が、前記控梁における一側端部よりも他側に位置しており、
前記屋根設置物は、本体を構成する本体部と、前記本体部を支持する支持部と、を有しており、前記支持部は、前記控梁の長尺方向に沿って両側に設けられた前記中間梁によって支持されており、
前記複数の屋根面材には、
前記控梁の一側端部と前記突出部とに跨って設けられた一側屋根面材と、
前記一側屋根面材よりも他側に位置して当該一側屋根面材と連続して並設され、前記控梁の長尺方向に沿って両側に設けられた前記中間梁に支持された他側屋根面材と、
が含まれ、
前記一側屋根面材における他側端部と前記他側屋根面材における一側端部との境目は、前記中間梁における一側端部の位置にあることを特徴とする屋根設置物を備えたユニット式建物。
【請求項２】
請求項１に記載の屋根設置物を備えたユニット式建物において、
前記控梁の長尺方向に沿って両側に設けられた前記中間梁のうち一方の中間梁には補助支持材が溶接固定されており、
前記屋根設置物における前記支持部は、前記控梁の長尺方向に沿って両側に設けられた前記中間梁のうち他方の中間梁と、前記補助支持材とに跨って配置され、かつ溶接固定されていることを特徴とする屋根設置物を備えたユニット式建物。
【請求項３】
請求項１または２に記載の屋根設置物を備えたユニット式建物において、
前記控梁の長尺方向に沿って両側に設けられた前記中間梁の各々によって支持された前記屋根面材の間に隙間が形成されており、前記支持部は、当該隙間に配置され、かつ前記控梁の長尺方向に沿って両側に設けられた前記中間梁によって支持されていることを特徴とする屋根設置物を備えたユニット式建物。
【請求項４】
請求項１〜３のいずれか一項に記載の屋根設置物を備えたユニット式建物において、
前記控梁は、前記建物ユニット上に設置される矩形枠状の小屋パネルに対し、当該小屋パネルを構成する長辺側の小屋梁に直交して設けられることを特徴とする屋根設置物を備えたユニット式建物。
【請求項５】
請求項１から４のいずれか一項に記載の屋根設置物を備えたユニット式建物において、
前記突出部は、庇であることを特徴とする屋根設置物を備えたユニット式建物。
【発明の詳細な説明】
【技術分野】
【０００１】
本発明は、屋根設置物を備えたユニット式建物に関する。
【背景技術】
【０００２】
従来、ユニット式建物において、建物ユニットを補強するために天井梁ないし床梁に中間梁を水平に設けることが知られている。
特に、ユニット式建物の突出部に相当する建物ユニットには、構造補強が必要となることが多く、突出部もしくは突出部を支持する建物ユニットには中間梁が設けられることが知られている。
例えば、特許文献１に記載のユニット式建物では、拡張ユニット６およびこの拡張ユニット６からさらに突出する庇５を支持するために、拡張ユニット６に中間梁５８，５９が設けられている。
【先行技術文献】
【特許文献】
【０００３】
【特許文献１】特開２０１５−１０４４４号公報
【発明の概要】
【発明が解決しようとする課題】
【０００４】
しかしながら、特許文献１に記載の中間梁５８，５９は、拡張ユニット６に水平に設けられている。
このため、例えば、中間梁５８，５９が拡張ユニット６ないし上階建物ユニット１２の天井梁に設けられるような場合、ユニット式建物の陸屋根を形成する屋根面材を天井梁や中間梁に設置するだけでは、屋根面材に傾斜をつけることができず、水勾配が確保できない。
また、庇５などの突出部を支持する建物ユニットに中間梁を設ける場合は、構造補強上、中間梁をいたずらに傾斜させて設けることができず、屋根面に水勾配を確保することが容易ではない。
【０００５】
本発明は、上記課題に鑑みてなされたもので、控梁によって突出部を確実に支持できるとともに、屋根面に水勾配を確保できる屋根設置物を備えたユニット式建物を提供することを目的とする。
【課題を解決するための手段】
【０００６】
上記課題を解決するため、請求項１に記載の発明は、例えば、図６から８に示すように、略直方体状のフレームを有する建物ユニット２を複数組み合わせて建築され、屋根に設置される屋根設置物６を備えたユニット式建物１であって、梁（建物ユニット２における天井梁２３又は小屋パネル３における小屋梁３２）と、前記ユニット式建物１の外方へと突出し、かつ前記梁に設けられた突出部４と、前記突出部４を前記フレームとともに支持し、かつ前記梁に設けられた控梁３１と、前記屋根を形成し、一側から他側にかけて連続して並設された複数の屋根面材７と、前記控梁３１に設けられるとともに前記屋根面材７を支持する中間梁３３と、を備え、前記中間梁３３は、一側から他側へと向かうに連れて高さ位置が高くなって設けられ、かつ前記控梁３１の長尺方向に沿って両側に設けられて各々が前記屋根面材７を支持し、さらに、一側端部が、前記控梁３１における一側端部よりも他側に位置しており、前記屋根設置物６は、本体を構成する本体部６５と、前記本体部６５を支持する支持部６１と、を有しており、前記支持部６１は、前記控梁３１の長尺方向に沿って両側に設けられた前記中間梁３３によって支持されており、前記複数の屋根面材７には、前記控梁３１の一側端部と前記突出部４とに跨って設けられた一側屋根面材７と、前記一側屋根面材７よりも他側に位置して当該一側屋根面材７と連続して並設され、前記控梁３１の長尺方向に沿って両側に設けられた前記中間梁３３に支持された他側屋根面材７と、が含まれ、前記一側屋根面材７における他側端部と前記他側屋根面材７における一側端部との境目は、前記中間梁３３における一側端部の位置にあることを特徴とする。
【０００７】
請求項１に記載の発明によれば、略直方体状のフレームを有する建物ユニット２を複数組み合わせて建築されるユニット式建物１であって、ユニット式建物１の外方へと突出する突出部４と、突出部４をフレームとともに支持する控梁３１と、屋根を形成する屋根面材７と、控梁３１に設けられるとともに屋根面材７を支持する中間梁３３と、を備え、中間梁３３は、一側から他側へと向かうに連れて高さ位置が高くなって設けられるので、控梁３１によって突出部４を確実に支持しつつ、中間梁３３が屋根面材７を支持することで、屋根面材７を一側から他側へと向かうに連れて高さ位置が高くなる傾斜面とすることができる。
このため、控梁３１が水平であったとしても、控梁３１に設けられる中間梁３３が傾斜しているので、この中間梁３３が屋根面材７を支持することで、屋根面材７に水勾配を確保することができる。
また、屋根に設置される屋根設置物６を備え、屋根設置物６は、中間梁３３に支持されるので、中間梁３３は屋根面材７だけでなく、屋根設置物６をも支持することとなり、中間梁３３を有効に利用することができる。
また、屋根設置物６は、本体を構成する本体部６５と、本体部６５を支持する支持部６１と、を備え、支持部６１は、中間梁３３に支持されるので、中間梁３３が支持部６１を支持することで本体部６５を屋根に設置することができる。
【０００８】
請求項２に記載の発明は、例えば、図３，図５から図８に示すように、請求項１に記載の屋根設置物６を備えたユニット式建物において、前記控梁３１の長尺方向に沿って両側に設けられた前記中間梁３３のうち一方の中間梁３３には補助支持材３３４が溶接固定されており、前記屋根設置物６における前記支持部６１は、前記控梁３１の長尺方向に沿って両側に設けられた前記中間梁３３のうち他方の中間梁３３と、前記補助支持材３３４とに跨って配置され、かつ溶接固定されていることを特徴とする。
【００１０】
請求項３に記載の発明は、例えば、図６から図８に示すように、請求項１または２に記載の屋根設置物６を備えたユニット式建物において、
前記控梁３１の長尺方向に沿って両側に設けられた前記中間梁３３の各々によって支持された前記屋根面材７の間に隙間が形成されており、前記支持部６１は、当該隙間に配置され、かつ前記控梁３１の長尺方向に沿って両側に設けられた前記中間梁３３によって支持されていることを特徴とする。
【００１２】
請求項４に記載の発明は、例えば、図３から図５に示すように、請求項１から３のいずれか一項に記載の屋根設置物６を備えたユニット式建物において、前記控梁３１は、前記建物ユニット２上に設置される矩形枠状の小屋パネル３に対し、当該小屋パネル３を構成する長辺側の小屋梁３２に直交して設けられることを特徴とする。
【００１３】
請求項４に記載の発明によれば、控梁３１は、建物ユニット２上に設置される矩形枠状の小屋パネル３に対し、当該小屋パネル３を構成する長辺側の小屋梁３２に直交して設けられるので、建物ユニット２とは別個独立して控梁３１を設けることができる。
このため、建物ユニット２に事前に控梁３１を取り付ける必要がなく、簡易な構成の小屋パネル３に控梁３１を設けることで、施工性が良好なものとなる。
さらに、突出部４および屋根面材７の荷重を小屋パネル３によって効率よく分散できるので、建物ユニット２への負担を軽減することができる。
【００１４】
請求項５に記載の発明は、例えば、図１から４に示すように、請求項１から４のいずれか一項に記載の屋根設置物６を備えたユニット式建物において、前記突出部４は、庇４であることを特徴とする。
【００１５】
請求項５に記載の発明によれば、突出部４は、庇４であるので、控梁３１によって庇４を確実に支持できる。また、庇４の下をバルコニー５として利用することができる。
【発明の効果】
【００１６】
本発明によれば、控梁によって突出部を確実に支持できるとともに、屋根面に水勾配を確保できる屋根設置物を備えたユニット式建物を提供することができる。
【図面の簡単な説明】
【００１７】
【図１】本発明の実施形態に係るユニット式建物を示す立面図である。
【図２】本発明の実施形態に係るユニット式建物を構成する建物ユニットの配置を示す概略図である。
【図３】本発明の実施形態に係るユニット式建物に太陽電池モジュールが設置される状態を示す概略図である。
【図４】本発明の実施形態に係るユニット式建物に設けられる控梁の配置を示す概略図である。
【図５】本発明の実施形態に係る庇が設けられる小屋パネルを示す平面図である。
【図６】本発明の実施形態に係る中間梁が設けられた控梁を示す斜視図である。
【図７】本発明の実施形態に係る中間梁に架台および屋根面材が設置された状態を示す断面図である。
【図８】本発明の実施形態に係る中間梁に架台および屋根面材が設置された状態を示す断面図である。
【発明を実施するための形態】
【００１８】
以下、図面を参照して本発明の実施の形態について説明する。ただし、以下に述べる本実施形態には、本発明を実施するために技術的に好ましい種々の限定が付されているが、本発明の技術的範囲を以下の実施形態および図示例に限定するものではない。
【００１９】
図１から３に示すように、本発明に係る実施形態のユニット式建物１は、建物ユニット２と、小屋パネル３と、突出部としての庇４と、バルコニー５と、屋根設置物としての太陽電池モジュール６と、屋根面材７とを備えている。
建物ユニット２は、対向する長辺梁と、対向する短辺梁とを仕口を介して連結した矩形枠状の天井枠と床枠とを４本の柱で四隅をそれぞれ連結して直方体状のフレームを形成したものである。なお、後述する小屋パネル３は、天井枠および床枠と同じ構成のものである。
また、建物ユニット２は、これに限らず、例えば、立設した４本の柱の上端部同士を天井梁で連結し、同様に下端部同士も床梁で連結して直方体状のフレームを形成してもよい。
また、建物ユニット２は、長さ寸法の異なる２種類の建物ユニット２が設けられており、長さ寸法の大きい第１建物ユニット２１と、長さ寸法の小さい第２建物ユニット２２とを備えている。
【００２０】
小屋パネル３は、上階に設けられる建物ユニット２に設置されるものであり、少なくとも四辺が小屋梁３２によって形成される枠状の矩形状部材である。
また、小屋パネル３は、第１建物ユニット２１に設置される第１小屋パネル３ａと、第２建物ユニット２２に設置される第２小屋パネル３ｂとを備えている。
庇４は、ユニット式建物１の外周Ｏの長辺の一部において、外方へと突出して設けられている。
具体的には、上階（２階）の第１建物ユニット２１に設置される第１小屋パネル３ａの小屋梁３２からユニット式建物１の外方へと突出して設けられている。
バルコニー５は、ユニット式建物１の上階部において、庇４の下方に設けられている。
【００２１】
太陽電池モジュール６は、ユニット式建物１の屋根において、矩形状の範囲が設置位置Ｓとされ、この設置位置Ｓに設置されている。なお、ユニット式建物１は、陸屋根となっている。
また、太陽電池モジュール６は、太陽光により発電する本体部としてのモジュール６５と、このモジュール６５を支持する支持部６１とを備えている。
また、支持部６１は、架台６２と、架台レール６３と、設置台６４とを備えている。
太陽電池モジュール６は、屋根に設置される複数の架台６２と、これらの架台６２の間に架け渡される長尺の架台レール６３と、この架台レール６３に設置されるモジュール６５を設置する設置台６４とによって、ユニット式建物１の屋根に設置されている。
【００２２】
屋根面材７は、ユニット式建物１の陸屋根の屋根面を構成する部材であり、小屋パネル３よりも上方に設けられている。この屋根面材７は、架台６２が設けられる箇所が切りかかれており、架台６２が挿通されるようになっている。
また、陸屋根は、小屋パネル３と、庇４とを含む上面に渡って形成されており、屋根面として屋根面材７が設けられている。
屋根面材７は、傾斜する中間梁３３に載置されることで、雨水等が排水溝Ｄへと流れるように水勾配が確保されている。また、屋根面材７は上面が庇４側へと向かうにつれて下方へ傾斜する緩やかな傾斜面となっており、この傾斜面により水勾配が確保されている。
また、屋根面材７は、縁端が庇の端部に設けられるパラペットＰまで設けられず、縁端とパラペットＰとの隙間に排水溝Ｄが形成されている。
このため、屋根面材７の傾斜面を流れ落ちた雨水が排水溝Ｄへと流れ落ち、排水溝Ｄに設けられた図示しない排水口より陸屋根から排水されるようになっている。
【００２３】
図２から４に示すように、小屋パネル３には、上階の建物ユニット２の長辺の天井梁２３に対して直角に複数の控梁３１が設けられている。
具体的には、第１小屋パネル３ａには第１建物ユニット２１の天井梁２３に対して直角に３本の控梁３１が設けられ、第２小屋パネル３ｂには第２建物ユニット２２の天井梁２３に対して直角に１本の控梁３１が設けられている。
また、控梁３１は小屋パネル３に支持され、小屋パネル３は建物ユニット２に支持されている。すなわち、控梁３１は、小屋パネル３を介して建物ユニット２に支持されている。
【００２４】
また、隣接する第１建物ユニット２１に設置される第１小屋パネル３ａには、天井梁２３の同じ位置に対応して控梁３１が直角に設けられている。すなわち、控梁３１は、隣接する３つの第１建物ユニット２１の天井梁２３に対して略直線状に配置されている。
また、控梁３１は、第２小屋パネル３ｂについても同様に、隣接する３つの第２建物ユニット２２に対して略直線状に配置されている。
【００２５】
庇４は、上階の第１建物ユニット２１のユニット式建物１の外周Ｏに沿う天井梁２３に設置される小屋パネル３の小屋梁３２からユニット式建物１の外方へと突出する矩形状の部材である。
この庇４は、控梁３１と、控梁３１を小屋パネル３を介して支持する建物ユニット２とによって支持され、小屋梁３２が庇４の重量により撓みを生じるおそれをなくしている。
【００２６】
図５から８に示すように、小屋パネル３は、控梁３１と、小屋梁３２と、中間梁３３と、筋交い３４とを備えている（図５では、第１小屋パネル３ａを図示している）。
第１小屋パネル３ａは、長辺および短辺の小屋梁３２が矩形状に組み合わされてなり、四本の梁を矩形状に組み合わされており、下方の第１建物ユニット２１の天井梁が形成する矩形状と同形状に形成されている。
控梁３１は、小屋梁３２の長辺梁に直交して設けられている。この控梁３１は、断面形状がコ字状に形成されており、開口する側に逆コ字状の補助部材３１１が設けられている。
【００２７】
小屋パネル３に設けられる控梁３１には、長尺方向に沿って両側に屋根面材７を支持する中間梁３３が設けられている。また、短辺の小屋梁３２にも中間梁３３が設けられている。
この中間梁３３は、長尺な部材であって、控梁３１の庇４側の一端から他端側へと向かうに連れて高さ位置が高くなって設けられている。すなわち、中間梁３３は水平に設けられる控梁３１に対して庇４側へ向かうに連れて下方へ傾斜して設けられている。
【００２８】
また、中間梁３３は、垂直部３３１と上面部３３２とを備える断面形状がＬ字状に形成されており、上面部３３２が上側となるように垂直部３３１が控梁３１ないし補助部材３１１に取り付け固定されている。
また、中間梁３３を控梁３１に取り付け固定する手段としては、図示するように控梁３１と垂直部３３１とにそれぞれボルトＢを挿通するものとして、垂直部３３１に設けるボルトＢの挿通穴３３３の高さ位置を調整することで中間梁３３の傾斜を任意に設定してもよい。この他には、中間梁３３を控梁３１に溶接して取り付け固定してもよい。
また、対向する垂直部３３１の垂直面には、断面逆Ｌ字状の補助支持材３３４が溶接固定されており、この補助支持材３３４の水平面は、隣接する上面部３３２の上面と略面一となるように溶接固定されている。
そして、補助支持材３３４の水平面と、上面部３３２とに跨って、後述する架台６２載置され、溶接固定されるようになっている。
なお、補助支持材３３４および架台６２がそれぞれ溶接固定されるとしたが、これに限らず、ボルトとナットとを螺合させて固定してもよい。
【００２９】
筋交い３４は、小屋梁３２と控梁とが形成する矩形空間、もしくは、控梁３１と控梁３１とが形成する矩形空間を対角に交差する部材であり、小屋パネル３の剛性を向上させる部材である。
【００３０】
図７，８に示すように、上面部３３２は、垂直部３３１から遠い側が屋根面材７を支持する支持面となっている。また、垂直部３３１に近い側が架台６２を支持する支持面となっている。すなわち、中間梁３３は、太陽電池モジュール６と屋根面材７とを支持する梁として利用されている。
【００３１】
また、図７は図４の第１ポイントＰ１の断面図であり、図８は図４の第２ポイントＰ２の断面図である。
図７に示すように、第１ポイントＰ１では、垂直部３３１の大半が控梁３１および補助部材３１１に当接しており、上面部３３２が控梁３１の上面よりも少し高くなっている。
これに対し、図８に示すように、第２ポイントＰ２では、垂直部３３１の大半が控梁３１および補助部材３１１に当接せず、上面部３３２が控梁３１の上面よりも大きく上方に離間している。
【００３２】
このため、第１ポイントＰ１よりも第２ポイントＰ２の方が、上面部３３２の高さ位置が高くなり、この上面部３３２に支持される架台６２および屋根面材７も同じく高さ位置が高くなる。すなわち、屋根面材７が傾斜することで、陸屋根に水勾配が確保されている。
また、架台６２も同様に庇４側の方が高さ位置が低くなるが、架台６２の高さ寸法を調整することで、架台６２に取り付けられる架台レール６３が水平になるようになっている。
具体的には、第１ポイントＰ１に設けられる架台６２は高さ寸法が大きく形成され、これに対して、第２ポイントＰ２に設けられる架台は高さ寸法が小さく形成されることで、第１ポイントＰ１と第２ポイントＰ２とに設けられる架台６２の上部の高さ位置が同じになるように調整されている。
【００３３】
また、図６から８には、説明の便宜上、中間梁３３が大きく傾斜しているように示したが、実際には水勾配をこのように大きな傾斜とする必要はなく、なだらかな傾斜面でもよい。
このため、上述のように架台６２の高さ寸法を調整せず、架台レール６３が屋根面材７と同様に傾斜するものとしてもよい。さらに、設置台６４に設置されるモジュール６５は、支持部６１によって角度調節ができるようになっているため、支持部６１が若干傾斜していても角度調整により傾斜の影響を解消できるようになっている。
【００３４】
以上のように、本実施形態によれば、例えば、図６から８に示すように、略直方体状のフレームを有する建物ユニット２を複数組み合わせて建築されるユニット式建物１であって、ユニット式建物１の外方へと突出する庇４と、この庇４を建物ユニット２とともに支持する控梁３１と、屋根を形成する屋根面材７と、控梁３１に設けられるとともに屋根面材７を支持する中間梁３３と、を備え、中間梁３３は、一側から他側へと向かうに連れて高さ位置が高くなって設けられるものとした。
こうすることで、控梁３１によって庇４を確実に支持しつつ、中間梁３３が屋根面材７を支持することで、屋根面材７を一側から他側へと向かうに連れて高さ位置が高くなる傾斜面とすることができる。
このため、控梁３１が水平であったとしても、控梁３１に設けられる中間梁３３が傾斜しているので、この中間梁３３が屋根面材７を支持することで、屋根面材７に水勾配を確保することができる。
【００３５】
また、本実施形態によれば、例えば、図３から５に示すように、控梁３１は、建物ユニット２上に設置される枠状の小屋パネル３に設けられるものとした。
こうすることで、建物ユニット２とは別個独立して控梁３１を設けることができる。
このため、建物ユニット２に事前に控梁３１を取り付ける必要がなく、簡易な構成の小屋パネル３に控梁３１を設けることで、施工性が良好なものとなる。
さらに、庇４および屋根面材７の荷重を小屋パネル３によって効率よく分散できるので、建物ユニット２への負担を軽減することができる。
【００３６】
また、本実施形態によれば、例えば、図７，８に示すように、屋根に設置される太陽電池モジュール６を備え、この太陽電池モジュール６は、中間梁３３に支持されるものとした。
こうすることで、中間梁３３は屋根面材７だけでなく、太陽電池モジュール６をも支持することとなり、中間梁３３を有効に利用することができる。
【００３７】
また、本実施形態によれば、例えば、図３に示すように、太陽電池モジュール６は、本体を構成するモジュール６５と、このモジュール６５を支持する支持部６１と、を備え、支持部６１は、中間梁３３に設置されるものとした。
こうすることで、中間梁３３が支持部６１を支持することでモジュール６５を屋根に設置することができる。
【００３８】
また、本実施形態によれば、例えば、図１から４に示すように、ユニット式建物１に庇４が設けられるものとした。
こうすることで、控梁３１によって庇４を確実に支持できる。また、庇４の下をバルコニー５として利用することができる。
【００３９】
また、本実施形態によれば、中間梁３３に設けられた挿通穴３３３と、控梁に設けられた挿通穴とをボルトＢにより取り付け固定するものとした。
こうすることで、中間梁３３の挿通穴３３３の位置を任意に設定することで、容易に中間梁３３の傾斜角度を設定することができる。
【００４０】
また、本実施形態によれば、中間梁３３に補助支持材３３４が設けられるものとした。
こうすることで、対向する中間梁３３の上面部３３２に跨って架台６２を載置する必要がなく、一方の上面部３３２と、これに隣接する補助支持材３３４とに跨って架台６２を載置することができる。
このため、架台６２の被載置面の大きさを小さくすることができる。
【００４１】
以上、本発明を本実施形態に基づいて具体的に説明してきたが、本発明は上記実施形態に限定されるものではなく、その要旨を逸脱しない範囲で変更可能である。
本実施形態では、例えば、図７，８に示すように、架台６２は、上面部３３２に屋根面材７と同様に設置されるものとして、架台レール６３が屋根面材７と同様な傾斜を有するものとしたが、これに限らない。
例えば、架台６２の高さ寸法を調整して架台レール６３を屋根面材７とは異なり、水平にする構成としてもよい。
【００４２】
また、本実施形態では、架台６２を上面部３３２の傾斜面にそのまま設置するものとしたが、これに限らない。
例えば、架台６２と上面部３３２との間にスペーサなどを挟みこみ、架台６２を垂直取り付けるようにしてもよい。
【００４３】
また、本実施形態では、控梁３１ないし補助部材３１１に中間梁３３をボルトＢを用いて取り付け固定するものとしたが、これに限らない。
例えば、控梁３１ないし補助部材３１１に中間梁３３を溶接して取り付け固定してもよい。
【００４４】
また、本実施形態では、小屋パネル３を建物ユニット２に設置して、小屋パネル３に控梁３１を設置するものとしたが、これに限らず、例えば、小屋パネル３を設置せず、建物ユニット２の天井梁２３に設置する構成でもよい。
【符号の説明】
【００４５】
１     ユニット式建物
２     建物ユニット
３     小屋パネル
３ａ   第１小屋パネル
３ｂ   第２小屋パネル
４     庇（突出部）
５     バルコニー
６     太陽電池モジュール（屋根設置物）
７     屋根面材
２１   第１建物ユニット
２２   第２建物ユニット
２３   天井梁
３１   控梁
３２   小屋梁
３３   中間梁
６１   支持部
６２   架台
６３   架台レール
６４   設置台
６５   モジュール（本体部）
３１１ 補助部材
３３１ 垂直部
３３２ 上面部
３３３ 挿通穴
３３４ 補助支持材
Ｂ     ボルト
Ｄ     排水溝
Ｏ     外周
Ｐ     パラペット
Ｐ１   ポイント
Ｐ２   ポイント
Ｓ     設置位置
【図１】
0006480361.tif 000002
【図２】
0006480361.tif 000003
【図３】
0006480361.tif 000004
【図４】
0006480361.tif 000005
【図５】
0006480361.tif 000006
【図６】
0006480361.tif 000007
【図７】
0006480361.tif 000008
【図８】
0006480361.tif 000009